(57)【要約】【課題】電流出力部が流す電流をオフするタイミングが、弁を開閉するためにソレノイドコイルに流す電流の過渡的に変化しているタイミングであっても、内燃機関に供給する燃料の量を安定化することができる燃料噴射装置を提供する。【解決手段】燃料噴射装置は、電流制御部を備える。前記電流制御部は、燃料噴射部の燃料噴射終了要求タイミングが、電流出力部が燃料噴射部の燃料噴射が可能となる所定の電流量を流す第一の時間領域と前記電流出力部が前記燃料噴射部の燃料噴射の継続が可能となる所定の電流量を流す第二の時間領域との間の前記電流出力部の流す電流が過渡的に変化する第三の時間領域にある場合に、前記燃料噴射部の燃料噴射の終了するタイミングが前記燃料噴射部の燃料噴射の継続が可能となる所定の電流量から電流をオフした場合に燃料噴射が終了するタイミングと一致するタイミングとなるよう前記電流出力部が流す電流をオフさせる。【選択図】図１
2015209763.tif 000002
【特許請求の範囲】
【請求項１】
燃料噴射部の燃料噴射終了要求タイミングが、電流出力部が燃料噴射部の燃料噴射が可能となる所定の電流量を流す第一の時間領域と前記電流出力部が前記燃料噴射部の燃料噴射の継続が可能となる所定の電流量を流す第二の時間領域との間の前記電流出力部の流す電流が過渡的に変化する第三の時間領域にある場合に、前記燃料噴射部の燃料噴射の終了するタイミングが前記燃料噴射部の燃料噴射の継続が可能となる所定の電流量から電流をオフした場合に燃料噴射が終了するタイミングと一致するタイミングとなるよう前記電流出力部が流す電流をオフさせる電流制御部
を備える燃料噴射装置。
【請求項２】
前記電流制御部は、
前記電流出力部における複数の異なる電源電圧のそれぞれに用意された前記燃料噴射部の燃料噴射終了要求タイミングに対応する前記電流出力部の電流をオフさせるタイミングの補正量に基づいて、前記燃料噴射部の燃料噴射終了要求タイミングよりも早いタイミングで前記電流出力部が流す電流をオフさせる
請求項１に記載の燃料噴射装置。
【請求項３】
前記電流出力部が電流を流し始めるタイミングを起点として現在のタイミングを特定する時間監視部と、
前記電流出力部が流す電流の電流量を検出する電流検出部と、
前記時間監視部が特定した現在のタイミングと、前記電流検出部が検出した現在のタイミングと対応する前記電流出力部が流す電流の電流量とを関連付けて記憶部に記録する電流量書込部と、
を備える請求項１または請求項２に記載の燃料噴射装置。
【請求項４】
前記電流制御部は、前記電流出力部が流す電流が開弁電流まで立ち上がるタイミングの所定タイミングに対するズレに基づいて、前記電流出力部が流す電流をオフさせるタイミングを補正する
請求項１から請求項３の何れか一項に記載の燃料噴射装置。
【請求項５】
電流制御部による制御に基づいて、前記燃料噴射部に電流を出力する電流出力部と、
前記電流出力部が出力する電流に基づいて、燃料を噴射する燃料噴射部と、
を備える請求項１から請求項４の何れか一項に記載の燃料噴射装置。
【発明の詳細な説明】
【技術分野】
【０００１】
本発明は、燃料噴射装置に関する。
【背景技術】
【０００２】
自動車などでは、燃費や走行性を適切に保つために、燃料噴射時の状況に応じて、エンジンなどの内燃機関に供給する燃料の量を制御している場合がある。
特許文献１には、関連する技術として、ピーク電流通電時間より短い要求噴射時間に相当する微少量燃料を要求通りに精度良く噴射する制御に関する技術が記載されている。
【先行技術文献】
【特許文献】
【０００３】
【特許文献１】特開２００６−２５７９６８号公報
【発明の概要】
【発明が解決しようとする課題】
【０００４】
ところで、一般的に、燃料噴射装置は、燃料噴射装置内でソレノイドコイルにおける電流を制御し、ソレノイドコイルにより磁力を発生させて弁を開閉することで内燃機関に供給する燃料の量を調整する。
しかしながら、内燃機関への燃料供給を停止するタイミングによっては、弁を開放するための開弁電流と呼ばれるほぼ一定の電流がソレノイドコイルを流れる期間、または、開放した弁の状態を保持するために保持電流と呼ばれるほぼ一定の電流がソレノイドコイルを流れる期間、電流が過渡的に変化する期間、それぞれの期間で電流をオフした場合に、通電時間に対する燃料流量の特性が変化する場合がある。
そのため、内燃機関への燃料供給を停止するタイミングが、弁を開閉するためにソレノイドコイルに流す電流の過渡的に変化しているタイミングであっても、燃料噴射装置が内燃機関に供給する燃料の量を安定化することができる技術が求められていた。
【０００５】
そこでこの発明は、上記の課題を解決することのできる燃料噴射装置を提供することを目的としている。
【課題を解決するための手段】
【０００６】
上記目的を達成するために、本発明は、燃料噴射部の燃料噴射終了要求タイミングが、電流出力部が燃料噴射部の燃料噴射が可能となる所定の電流量を流す第一の時間領域と前記電流出力部が前記燃料噴射部の燃料噴射の継続が可能となる所定の電流量を流す第二の時間領域との間の前記電流出力部の流す電流が過渡的に変化する第三の時間領域にある場合に、前記燃料噴射部の燃料噴射の終了するタイミングが前記燃料噴射部の燃料噴射の継続が可能となる所定の電流量から電流をオフした場合に燃料噴射が終了するタイミングと一致するタイミングとなるよう前記電流出力部が流す電流をオフさせる電流制御部を備える燃料噴射装置である。
【０００７】
また本発明は、前記燃料噴射装置が備える前記電流制御部は、前記電流出力部における複数の異なる電源電圧のそれぞれに用意された前記燃料噴射部の燃料噴射終了要求タイミングに対応する前記電流出力部の電流をオフさせるタイミングの補正量に基づいて、前記燃料噴射部の燃料噴射終了要求タイミングよりも早いタイミングで前記電流出力部が流す電流をオフさせる。
【０００８】
また本発明は、前記燃焼噴射装置は、前記電流出力部が電流を流し始めるタイミングを起点として現在のタイミングを特定する時間監視部と、前記電流出力部が流す電流の電流量を検出する電流検出部と、前記時間監視部が特定した現在のタイミングと、前記電流検出部が検出した現在のタイミングと対応する前記電流出力部が流す電流の電流量とを関連付けて記憶部に記録する電流量書込部と、を備える。
【０００９】
また本発明は、前記燃料噴射装置が備える前記電流制御部は、前記電流出力部が流す電流が開弁電流まで立ち上がるタイミングの所定タイミングに対するズレに基づいて、前記電流出力部が流す電流をオフさせるタイミングを補正する。
【００１０】
また本発明は、前記燃焼噴射装置は、電流制御部による制御に基づいて、前記燃料噴射部に電流を出力する電流出力部と、前記電流出力部が出力する電流に基づいて、燃料を噴射する燃料噴射部と、を備える。
【発明の効果】
【００１１】
本発明によれば、電流出力部が流す電流をオフするタイミングが、弁を開閉するためにソレノイドコイルに流す電流の過渡的に変化しているタイミングであっても、燃料噴射装置が内燃機関に供給する燃料の量を安定化することができる。
【図面の簡単な説明】
【００１２】
【図１】本発明の燃料噴射装置１の一例を示す図である。
【図２】本発明の実施形態による電流出力部１０５の電流停止タイミングの補正の一例を示す図である。
【図３】本発明の実施形態による燃料噴射装置１の処理の一例を示す図である。
【図４】本発明の燃料噴射装置１の実験結果の一例を示す図である。
【発明を実施するための形態】
【００１３】
＜実施形態＞
図１は、本発明の燃料噴射装置１の一例を示す図である。
本発明の燃料噴射装置１は、図１で示すように、燃料噴射制御部１０１と、時間監視部１０２と、電流制御部１０３と、電流量書込部１０４と、電流出力部１０５と、燃料噴射部１０６と、電流検出部１０７と、記憶部１０８と、を備える。なお、図１には、燃料噴射装置１と共に燃料タンク２が記載されている。
【００１４】
燃料噴射装置１が備える燃料噴射制御部１０１は、エンジン運転状態に基づき燃料噴射開始に係る信号を電流制御部１０３に出力する。なお、燃料噴射開始に係る信号は、燃料噴射を終了させるタイミングの情報を含んでいる。
時間監視部１０２は、電流出力部１０５が電流を流し始めるタイミングを起点として現在のタイミングを特定する。
【００１５】
電流制御部１０３は、燃料噴射部１０６の燃料噴射終了要求タイミングが、電流出力部１０５が燃料噴射部１０６の燃料噴射が可能となる所定の電流量を流す第一の時間領域と電流出力部１０５が燃料噴射部１０６の燃料噴射の継続が可能となる所定の電流量を流す第二の時間領域との間の電流出力部１０５の流す電流が過渡的に変化する第三の時間領域にある場合に、燃料噴射部１０６の燃料噴射の終了するタイミングが燃料噴射部１０６の燃料噴射の継続が可能となる所定の電流量から電流をオフした場合に燃料噴射が終了するタイミングと一致するタイミングとなるよう電流出力部１０５が流す電流をオフさせる。
また、電流制御部１０３は、電流出力部１０５における複数の異なる電源電圧のそれぞれに用意された、電流制御部１０３が電流をオフさせる補正前のタイミングに対応する、電流をオフさせるタイミングの補正量に基づいて、燃料噴射部１０６の燃料噴射終了要求タイミングよりも早いタイミングで電流出力部１０５が流す電流をオフさせる。
また、電流制御部１０３は、電流出力部１０５が燃料噴射部１０６の燃料噴射が可能となる所定の電流量と、燃料噴射部１０６の燃料噴射の継続が可能となる所定の電流量とを、燃料噴射部１０６の動的特性に合わせ所定の時間で出力するよう制御する。
【００１６】
電流量書込部１０４は、時間監視部１０２が特定した現在のタイミングと、電流検出部１０７が検出した現在のタイミングと対応する電流出力部１０５が流す電流の電流量とを関連付けて記憶部１０８に記録する。
電流出力部１０５は、電流制御部１０３による制御に基づいて、燃料噴射部１０６に電流を出力する。
【００１７】
燃料噴射部１０６は、燃料タンク２から燃料を取り入れる。燃料噴射部１０６は、電流出力部１０５が出力する電流に基づいて、燃料タンク２から取り入れた燃料を噴射する。例えば、燃料噴射部１０６は、ソレノイドコイルに電流を流すことにより弁を開閉することで内燃機関に燃料を供給するインジェクタである。
【００１８】
電流検出部１０７は、電流出力部１０５が燃料噴射部１０６に出力する電流量を検出する。電流検出部１０７は、検出した電流量を電流量書込部１０４に出力する。
【００１９】
記憶部１０８は、燃料噴射装置１が行う種々の処理に必要な情報を記憶する。例えば、記憶部１０８は、電流検出部１０７が検出した現在のタイミングと対応する電流出力部１０５が流す電流の電流量とを関連付けて記憶する。
燃料タンク２は、燃料噴射部１０６に供給する燃料を蓄える。例えば、燃料タンク２が蓄える燃料は、ガス燃料や液体燃料である。ガス燃料は、圧縮天然ガス（ＣＮＧ）などである。また、液体燃料は、ガソリンなどである。
【００２０】
図２は、本発明の実施形態による電流出力部１０５の電流停止タイミングの補正の一例を示す図である。
図２において、（ａ）は電流出力部１０５が燃料噴射部１０６に出力する電流の変化を示している。縦軸は電流量を示す。横軸は電流出力部１０５が燃料噴射部１０６に電流を流し始めるタイミングを起点（ｔ＝０）とした時間を示す。
【００２１】
「通電開始〜電流移行開始区間」と記載した時間ｔ１（ＴＧＩＮＪＳＷ）は、電流出力部１０５が電流を流し始めてから弁を閉状態から開状態にするために必要な電流を示す弁開電流を流し終えるまでの時間（第一の時間領域）である。「開弁用電流ホールド区間」と記載した時間ｔ３は、時間ｔ１における弁開電流により開状態となった弁を継続して開状態を保持するために流さなければならない電流を示す保持電流を流す期間（第二の時間領域）である。また、「電流移行区間」と記載した時間ｔ２は、時間ｔ１から第二の時間領域へと過渡的に電流量が変化する期間（第三の時間領域）を示す。
【００２２】
時間ＴＯＵＴは、電流出力部１０５が燃料噴射部１０６に電流を流す要求時間である。時間ＴＯＵＴは、内燃機関における各センサからの状況に基づいて燃料噴射制御部１０１が燃料噴射タイミング毎に決定する時間であり、電流出力部１０５が燃料噴射部１０６に電流を出力する前に決定される時間である。
【００２３】
ここで、電流出力部１０５の電流停止タイミングの補正方法について説明する。なお、時間ＴＯＵＴの終わりのタイミングＡが「電流移行区間」にあるものとする。
電流停止タイミングの補正前では、電流制御部１０３は、燃料噴射制御部１０１が算出したＴＯＵＴに基づいて、ｔＡのタイミングで電流出力部１０５が流す電流をオフさせる。すると、電流出力部１０５が流す電流は、ｔＡのタイミングのＡ点からＡ１点を経由してＡ２点まで変化する。Ａ１点は、電流出力部１０５の流す電流が保持電流に等しくなる点である。
ここで、電流出力部１０５の流す電流が保持電流に等しくなるタイミングをｔＡ１とする。また、電流出力部１０５の流す電流がゼロになるタイミングをｔＡ２とする。ｔＡ１点からｔＡ２点までの時間で電流出力部１０５が流す電流の変化は、電流制御部１０３が燃料噴射制御部１０１の算出したＴＯＵＴに基づいて時間ｔ３において電流出力部１０５の流す保持電流をオフ状態にする通常の制御と同等の電流変化とみなすことができる。したがって、電流制御部１０３は、燃料噴射制御部１０１の算出したＴＯＵＴに基づいて時間ｔ２において電流出力部１０５の流す電流をオフ状態にする場合、通常の制御に比べてＡ点からＡ１点まで電流が変化する（ｔＡ１−ｔＡ）の時間だけ開弁時間が長くなってしまう。
【００２４】
電流停止タイミングの補正では、電流制御部１０３が電流出力部１０５の流す電流をオフするタイミングを（ｔＡ１−ｔＡ）の時間だけ早くするように補正する。
図２において、（ｂ）は、各ＴＯＵＴのタイミングにおいて電流制御部１０３が補正する補正時間ＴＯＵＴＯＦＦＳＥＴを示している。ここでは説明の都合上、グラフを示すが、実際にはグラフそのものではなくグラフと同等の内容の情報を記憶部１０８が記憶している。例えば、記憶部１０８は、ＴＯＵＴの各条件に対するＴＯＵＴＯＦＦＳＥＴの算出式を記憶する。また、記憶部１０８は、ＴＯＵＴに対応するＴＯＵＴＯＦＦＳＥＴをデータテーブルとして記憶してもよい。なお、算出式やデータテーブルなどのグラフと同等の内容の情報は、電流出力部１０５の電源電圧毎に用意され、記憶部１０８が記憶する。
【００２５】
（ｂ）が示すグラフの横軸は、燃料噴射制御部１０１が算出したＴＯＵＴを示す。また、グラフの縦軸は、各ＴＯＵＴに対する電流出力部１０５が流す電流をオフするタイミングの補正量ＴＯＵＴＯＦＦＳＥＴを示す。（ｂ）で示すグラフの例では、ＴＯＵＴがｔ１のタイミングとｔ２のタイミングとの間の補正量ＴＯＵＴＯＦＦＳＥＴを線形補間している。電流制御部１０３は、燃料噴射制御部１０１が算出したＴＯＵＴに基づいて、ＴＯＵＴを（ＴＯＵＴ−ＴＯＵＴＯＦＦＳＥＴ）に補正する。そして、電流制御部１０３は、（ＴＯＵＴ−ＴＯＵＴＯＦＦＳＥＴ）のタイミングで電流出力部１０５が流す電流をオフする。例えば、ＴＯＵＴがｔ１よりも大きいか同一であり、かつ、ＴＯＵＴが（ｔ１＋ｔ２）よりも小さいか同一である場合（第三の時間領域で電流出力部１０５が流す電流をオフする場合）、ＴＯＵＴＯＦＦＳＥＴは（ｔ１＋ｔ２−ＴＯＵＴ）×ＴＯＦＦＭＡＸ÷ｔ２となる。電流制御部１０３は、このＴＯＵＴＯＦＦＳＥＴを用いて特定した（ＴＯＵＴ−ＴＯＵＴＯＦＦＳＥＴ）のタイミングで電流出力部１０５が流す電流をオフする。また、ＴＯＵＴが（ｔ１＋ｔ２）よりも大きいか同一である場合（第二の時間領域で電流出力部１０５が流す電流をオフする場合）ＴＯＵＴＯＦＦＳＥＴはゼロとなる。電流制御部１０３は、このＴＯＵＴＯＦＦＳＥＴを用いて特定したＴＯＵＴのタイミングで電流出力部１０５が流す電流をオフする。
【００２６】
図３は、本発明の実施形態による燃料噴射装置１の処理の一例を示す図である。
次に、図３を用いて、実施形態による燃料噴射装置１の処理について説明する。
【００２７】
エンジンの回転に同期して燃料噴射の要求が出される。例えば、燃料噴射装置１とは別の装置がエンジンのクランク角度を検出し、燃料噴射タイミングと判断する。燃料噴射装置１とは別の装置は燃料噴射の開始タイミングであることを示す燃料噴射開始タイミング信号を燃料噴射制御部１０１に出力する。
【００２８】
燃料噴射装置１が備える燃料噴射制御部１０１は、燃料噴射装置１とは別の装置から燃料噴射開始タイミング信号を入力する。すると、燃料噴射制御部１０１は、燃料噴射開始タイミングを検出したことを示す燃料噴射開始信号を電流制御部１０３に出力する。また、燃料噴射制御部１０１は、内燃機関における各センサからの状況に基づいて電流出力部１０５に電流を流す要求時間ＴＯＵＴを算出し（ステップＳ１）、ＴＯＵＴの情報を電流制御部１０３に出力する。
【００２９】
また、電流制御部１０３は、燃料噴射制御部１０１から燃料噴射開始信号とＴＯＵＴの情報とを入力すると、記憶部１０８からＴＯＵＴと補正量ＴＯＵＴＯＦＦＳＥＴとの対応関係を示す補正量情報を読み出す。例えば、補正量情報は、図２の（ｂ）について説明した、ＴＯＵＴの各条件に対するＴＯＵＴＯＦＦＳＥＴの算出式である。また、補正量情報は、ＴＯＵＴに対応するＴＯＵＴＯＦＦＳＥＴを関連付けたデータテーブルであってもよい。また、補正量情報が示す補正量は、線形補間した補正量であってもよい。また、補正量情報が示す補正量は、電流出力部１０５が出力する電流を電流検出部１０７が検出した電流の実測値に基づいた、非線形性を考慮した補正量であってもよい。
なお、電流制御部１０３は、記憶部１０８から補正量情報を事前に読み出しておいてもよい。
電流制御部１０３は、算出されたＴＯＵＴＯＦＦＳＥＴを燃料噴射制御部１０１から入力したＴＯＵＴから減算することで、補正後のＴＯＵＴを算出する（ステップＳ２）。
【００３０】
そして、電流制御部１０３は、電流出力部１０５が燃料噴射部１０６に出力する電流量の制御を開始する電流制御開始信号を時間監視部１０２と電流出力部１０５に出力する（ステップＳ３）。電流制御開始信号は、電流出力部１０５が電流を流し始めるための信号である。
電流出力部１０５は、電流制御部１０３から電流制御開始信号を入力する（ステップＳ４）。すると、電流出力部１０５は、燃料噴射部１０６に電流の出力を開始する。
【００３１】
時間監視部１０２は、電流制御部１０３から電流制御開始信号を入力する（ステップＳ５）。すると、時間監視部１０２は、電流制御開始信号を入力したタイミングを電流出力部１０５が燃料噴射部１０６に電流を流し始めるタイミングであるとし、このタイミングを起点と決定する（ステップＳ６）。時間監視部１０２が決定したこの起点が、図２における（ａ）のｔ＝０となる。時間監視部１０２は、起点に基づいて現在のタイミングを特定する（ステップＳ７）。時間監視部１０２は、特定した現在のタイミングを電流制御部１０３に出力する。
【００３２】
電流制御部１０３は、時間監視部１０２から現在のタイミングを入力すると、入力した現在のタイミングと、前記補正後のＴＯＵＴの情報とに基づいて、電流出力部１０５が燃料噴射部１０６に出力する電流量を制御する電流制御信号を生成する（ステップＳ８）。  例えば、電流制御部１０３は、時間監視部１０２が決定した起点から、電流出力部１０５から電流が出力され始めてから燃料噴射部１０６の弁が開弁するまでの時間および開弁が安定するまでの動的特性を考慮しあらかじめ設定された時間の間は、電流出力部１０５が燃料噴射部１０６の燃料噴射が可能となる所定の電流量を流すよう制御する。電流制御部１０３は、その後、電流出力部１０５が燃料噴射部１０６の燃料噴射の継続が可能となる所定の電流量を流すよう制御する。そして電流制御部１０３は、ステップＳ２で算出した補正後のＴＯＵＴが経過した時点で、電流出力部１０５からの電流の出力を停止するよう制御する。
電流制御部１０３は、生成した電流制御信号を電流出力部１０５に出力する（ステップＳ９）。
【００３３】
電流出力部１０５は、電流制御部１０３から電流制御信号を入力する（ステップＳ１０）。電流出力部１０５は、入力した電流制御信号に応じた電流を燃料噴射部１０６に出力する（ステップＳ１１）。例えば、電流出力部１０５は、電流制御部１０３から入力した電流制御信号に基づき、電流検出部１０７が検出した電流出力部１０５が出力した電流値が、目標電流値となるようフィードバック制御する。
【００３４】
燃料噴射部１０６は、電流出力部１０５が出力する電流に基づいて、燃料タンク２から取り入れた燃料を内燃機関に噴射する（ステップＳ１２）。例えば、燃料噴射部１０６は、ソレノイドコイルに電流を流すことにより弁を開閉することで内燃機関に燃料を供給するインジェクタである。電流出力部１０５により燃料噴射部１０６が備えるソレノイドコイルに開弁電流が流れると、ソレノイドコイルが磁力を発生させる。燃料噴射部１０６が備える弁は、この磁力により開状態となる。また、電流出力部１０５により燃料噴射部１０６が備えるソレノイドコイルに流す電流量が保持電流よりも少ない場合、燃料噴射部１０６が備えるソレノイドコイルに発生していた磁力が低下し、燃料噴射部１０６が備える弁は閉状態となる。
以上のようにすれば、内燃機関への燃料供給を停止するタイミングが、弁を開閉するためにソレノイドコイルに流す電流の過渡的に変化しているタイミングであっても、燃料噴射装置が内燃機関に供給する燃料の量を安定化することができる。
【００３５】
また、電流検出部１０７は、電流出力部１０５が入力した電流制御信号に応じて燃料噴射部１０６に出力する電流を検出する（ステップＳ１３）。電流検出部１０７は、検出した検出電流を電流量書込部１０４に出力する（ステップＳ１４）。
【００３６】
燃料噴射装置１が備える電流量書込部１０４は、電流検出部１０７から検出電流を入力する（ステップＳ１５）。すると、電流量書込部１０４は、時間監視部１０２にアクセスし、時間監視部１０２から現在のタイミングを示す情報を取得する（ステップＳ１６）。電流量書込部１０４は、電流検出部１０７から入力した検出電流と、時間監視部１０２から取得した現在のタイミングとを関連付けて記憶部１０８に記録する（ステップＳ１７）。電流量書込部１０４が行うステップ１９の処理は、電流検出部１０７から検出電流を入力する度に行われる。
以上のようにすれば、電流検出部１０７から検出した検出電流と、時間監視部１０２から取得した現在のタイミングとを関連付けて記憶部１０８に記録した実測値に基づいてより高精度なタイミングで弁を閉状態にすることができ、ソレノイドコイルに流れる電流が過渡的に変化する場合であっても、燃料噴射装置１が内燃機関に供給する燃料の量を安定化することができる。
【００３７】
なお、電流制御部１０３は、電流出力部１０５が流す電流が開弁電流まで立ち上がる際に生じるばらつきを補正するように、燃料噴射部１０６の燃料噴射を終了させるタイミングまでに電流出力部１０５が流す電流の総電流量が一定となるように制御するものであってもよい。
このようにすることで、電流出力部１０５が流す電流が開弁電流まで立ち上がる際に生じるばらつきが生じた場合であっても、燃料噴射装置１が内燃機関に供給する燃料の量を安定化することができる。
【００３８】
以上、本発明の実施形態による燃料噴射装置１の処理について説明した。上述の燃料噴射装置１によれば、燃料噴射装置１は、電流制御部１０３と、時間監視部１０２とを備える。電流制御部１０３は、燃料噴射開始に係る信号に基づいて、電流出力部１０５が流す燃料噴射部１０６の燃料噴射に係る電流を制御する。時間監視部１０２は、現在のタイミングを特定する。電流制御部１０３は、燃料噴射部１０６の燃料噴射終了要求タイミングが、電流出力部１０５が燃料噴射部１０６の燃料噴射が可能となる所定の電流量を流す第一の時間領域と電流出力部１０５が燃料噴射部１０６の燃料噴射の継続が可能となる所定の電流量を流す第二の時間領域との間の電流出力部１０５の流す電流が過渡的に変化する第三の時間領域にある場合に、燃料噴射部１０６の燃料噴射の終了するタイミングが燃料噴射部１０６の燃料噴射の継続が可能となる所定の電流量から電流をオフした場合に燃料噴射が終了するタイミングと一致するよう電流出力部１０５の電流をオフさせる。
このようにすれば、電流出力部が流す電流をオフするタイミングが、弁を開閉するためにソレノイドコイルに流す電流の過渡的に変化しているタイミングであっても、燃料噴射装置が内燃機関に供給する燃料の量を安定化することができる。
【００３９】
また、電流検出部１０７は、電流出力部１０５が入力した電流制御信号に応じて燃料噴射部１０６に出力する電流を検出する。電流検出部１０７は、検出した検出電流を電流量書込部１０４に出力する。燃料噴射装置１が備える電流量書込部１０４は、電流検出部１０７から検出電流を入力する。電流量書込部１０４は、時間監視部１０２にアクセスし、時間監視部１０２から現在のタイミングを示す情報を取得する。電流量書込部１０４は、電流検出部１０７から入力した検出電流と、時間監視部１０２から取得した現在のタイミングとを関連付けて記憶部１０８に記録する。電流制御部１０３は、電流量書込部１０４が記憶部１０８に記録した実測値に基づいて、電流出力部１０５の電流量を制御し、燃料噴射部１０６の燃料噴射を制御する。
このようにすれば、電流検出部１０７から入力した検出電流と、時間監視部１０２から取得した現在のタイミングとを関連付けて記憶部１０８に記録した実測値に基づいてより高精度なタイミングで弁を閉状態にすることができ、ソレノイドコイルに流れる電流が過渡的に変化する場合であっても、燃料噴射装置１が内燃機関に供給する燃料の量を安定化することができる。
【００４０】
また、電流制御部１０３は、電流出力部１０５が流す電流が開弁電流まで立ち上がるタイミングの所定タイミングに対するズレに基づいて、電流出力部１０５が流す電流をオフさせるタイミングを補正する。なお、ここでの所定のタイミングとは、例えば、タイミング設計に基づいて決定したタイミングである。
このようにすることで、電流出力部１０５が流す電流が開弁電流まで立ち上がる際に生じるばらつきが生じた場合であっても、燃料噴射装置１が内燃機関に供給する燃料の量を安定化することができる。
【００４１】
なお、本発明における記憶部１０８は、適切な情報の送受信が行われる範囲においてどこに備えられていてもよい。また、記憶部１０８は、適切な情報の送受信が行われる範囲において複数存在しデータを分散して記憶していてもよい。
【００４２】
なお本発明の実施形態における処理フローは、適切な処理が行われる範囲において、処理の順番が入れ替わってもよい。
【００４３】
＜実施例＞
図４は、本発明の燃料噴射装置１の実験結果の一例を示す図である。
図４において、（ａ）は、電流通電時間に対する噴射体積の関係を示す実測値を示している。また、図４において、（ｂ）は、電流通電時間に対する誤差の関係を示す実測値を示している。
【００４４】
図４における（ａ）と（ｂ）のグラフにおいて、横軸の時間は、図２における（ａ）のグラフで示した横軸の時間と対応している。すなわち、図４における（ａ）と（ｂ）のグラフの１〜２．８ミリ秒が図２における（ａ）の時間ｔ１に対応する。図４における（ａ）と（ｂ）のグラフの２．８〜４．２ミリ秒が図２における（ａ）の時間ｔ２に対応する。図４における（ａ）と（ｂ）のグラフの４．２〜８ミリ秒が図２における（ａ）の時間ｔ３に対応する。
【００４５】
実験条件は、環境温度が２５度、電圧が１４．５ボルトである。開弁電流の最大値は４．７５〜４．９２アンペア、最小値は４．１７〜４．３３アンペアである。また、保持電流は、最大値は２．００〜２．１７アンペア、最小値は１．６２〜１．７５アンペアである。
この実験条件において、（ａ）の噴射体積は、補正前では時間ｔ２の期間で大きくリニアラインから外れているが、補正後の最大値と最小値は共にリニアラインとほぼ同一となることがわかる。
また、（ｂ）の誤差も同様に、補正前では時間ｔ２の期間で大きな誤差が見られるが、補正後では誤差が改善されていることがわかる。
【００４６】
以上のように、実験結果からも本発明による燃料噴射装置１の処理により、内燃機関への燃料供給を停止するタイミングが、弁を開閉するためにソレノイドコイルに流す電流の過渡的に変化しているタイミングであっても、燃料噴射装置１が内燃機関に供給する燃料の量を安定化することができることがわかる。
【００４７】
なお本発明の実施形態について説明したが、上述の燃料噴射装置１は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４８】
また、上記プログラムは、前述した機能の一部を実現するためのものであっても良い。更に、前述した機能をコンピュータシステムにすでに記録されているプログラムとの組み合わせで実現できるもの、いわゆる差分ファイル（差分プログラム）であっても良い。
【００４９】
本発明のいくつかの実施形態を説明したが、これらの実施形態は、例として提示したものであり、発明の範囲を限定するものではない。また、発明の要旨を逸脱しない範囲で、種々の省略、置き換え、変更を行うことができるものである。
【符号の説明】
【００５０】
１・・・燃料噴射装置
２・・・燃料タンク
１０１・・・燃料噴射制御部
１０２・・・時間監視部
１０３・・・電流制御部
１０４・・・電流量書込部
１０５・・・電流出力部
１０６・・・燃料噴射部
１０７・・・電流検出部
１０８・・・記憶部
【図１】
2015209763.tif 000003
【図２】
2015209763.tif 000004
【図３】
2015209763.tif 000005
【図４】
2015209763.tif 000006